(57)【要約】      （修正有）【課題】置忘れを抑制できる拡大鏡を提供する。【解決手段】拡大鏡１００は、携帯可能で、第１の主面１１１、第２の主面と、第１の主面と第２の主面とを貫通する第１，第２の開口１１０Ａ、１１０Ｂを有する矩形状の筐体１１０と、第１の開口１１０Ａ内に収容される凸レンズ１２０と、を備える。【選択図】図１
0003189014.tif 000002
【実用新案登録請求の範囲】
【請求項１】
携帯可能な拡大鏡であって、
第１の主面，第２の主面と、前記第１の主面と前記第２の主面とを貫通する第１，第２の開口を有する矩形状の筐体と、
前記第１の開口内に収容される凸レンズと、
を備えることを特徴とする拡大鏡。
【請求項２】
前記第２の開口は、前記筐体の端部に設けられていることを特徴とする請求項１に記載の拡大鏡。
【請求項３】
前記筐体は、
前記第１の主面側又は前記第２の主面側にＬＥＤを備えることを特徴とする請求項１又は請求項２に記載の拡大鏡。
【請求項４】
前記筐体内に着脱可能な筆記具を収容することを特徴とする請求項１乃至請求項３のいずれかに記載の拡大鏡。
【請求項５】
前記筐体の側面の少なくとも一部に、滑り止め用の弾性部材を備えることを特徴とする請求項１乃至請求項４のいずれかに記載の拡大鏡。
【考案の詳細な説明】
【技術分野】
【０００１】  本考案は、携帯可能な拡大鏡に関する。
【背景技術】
【０００２】  高齢化の進展に伴い、拡大鏡の市場が拡大することが期待されている。このため、種々の拡大鏡が考案され、販売されている。例えば、透明樹脂で細長い平型の直方形柱状の本体に光学系ガラスの細長い凸レンズを嵌め込み、さらに本体の握り部に、本体を掛止できる止め器具を形成した拡大鏡が考案されている（特許文献１参照）。【０００３】  そして、拡大鏡を携帯する際は、本体を衣服のポケットや筆入れのサックの携帯用具に差し込み、握り部に形成される止め器具で掛止することで、取り出しが容易であり、携帯に便利であるとしている。
【先行技術文献】
【０００４】
【特許文献１】実開平５−８１８１７号公報
【考案の概要】
【考案が解決しようとする課題】
【０００５】  しかしながら、携帯可能な拡大鏡は、置忘れが多く問題となっている。上述の拡大鏡は、取り出しは容易であるが置忘れを抑制することはできない。【０００６】  本考案は上記のような問題点を解決するためになされたもので、置忘れを抑制できる拡大鏡を提供することを目的とする。
【課題を解決するための手段】
【０００７】  本考案の拡大鏡は、携帯可能な拡大鏡であって、第１の主面，第２の主面と、第１の主面と第２の主面とを貫通する第１，第２の開口を有する矩形状の筐体と、第１の開口内に収容される凸レンズと、を備えることを特徴とする。
【考案の効果】
【０００８】  本考案の拡大鏡は、筐体に、凸レンズが収容される第１の開口とは別に、第２の開口が設けられている。このため、第２の開口にストラップや紐などを通して衣服に結び付けることにより、置忘れを抑制することができる拡大鏡を提供することができる。
【図面の簡単な説明】
【０００９】
【図１】本考案に係る拡大鏡の斜視図（表面側）である。
【図２】本考案に係る拡大鏡の斜視図（裏面側）である。
【図３】本考案に係る拡大鏡に収容されるペンを外した状態の斜視図（表面側）である。
【図４】本考案に係る拡大鏡の使用方法の説明図である。
【考案を実施するための形態】
【００１０】  図１は、本考案に係る拡大鏡１００の表面側の斜視図である。図２は、本考案に係る拡大鏡１００の裏面側の斜視図である。図３は、本考案に係る拡大鏡１００に収容されるペンを取り外した状態の斜視図（表面側）である。図４は、本考案に係る拡大鏡１００の使用方法の説明図である。
【００１１】  本考案の拡大鏡１００は、筐体１１０、凸レンズ１２０、ＬＥＤ（発光ダイオード）１３０Ａ〜１３０Ｃ、ペン１４０及び弾性部材１５０を備える。筐体１１０は、第１の主面１１１、第２の主面１１２、第１の側面１１３及び第２の側面１１４を有する。また、筐体１１０には、第１の主面１１１と第２の主面１１２とを貫通する第１の開口１１０Ａ及び第２の開口１１０Ｂが設けられている。筐体１１０は、樹脂等の軽い材料で形成されており、厚みが薄く、矩形状であるため、持ちやすく携帯に便利である。
【００１２】  ここで、第２の開口１１０Ｂは、筐体１１０の端部に矩形状に設けられている。図４に示すように、この第２の開口１１０Ｂにストラップ１６０や紐などを通して衣服に結び付けることにより、拡大鏡１００の置忘れを抑制することができる。
【００１３】  また、携帯用の拡大鏡は、家に帰った際にどこにしまったかを忘れてしまい、無くしてしまうことが多い。拡大鏡１００は、家に帰った際に、第２の開口１１０Ｂをフック等に引っ掛けることにより決まった場所に収容することができる。このため、家の中で、拡大鏡１００をどこにしまったか思い出せずに無くしてしまう問題を解消することができる。
【００１４】  さらに、筐体１１０の周囲（側面）には、滑り止め用の弾性部材１５０（例えば、シリコンゴム）が設けられている。このため、拡大鏡１００を誤って落としたりすることを抑制することができる。この結果、拡大鏡１００が落下の衝撃で破損することを効果的に抑制することができる。
【００１５】  凸レンズ１２０は、筐体１１０の第１の開口１１０Ａに収容されている。凸レンズ１２０は、文字や図面等を拡大する機能を有する。本考案の実施形態では、凸レンズ１２０は、透明な樹脂等の材料で形成されている。なお、ガラスは、比重が重い、衝撃で破損しやすい等の性質を有するため、携帯用の拡大鏡の使用には不向きである。
【００１６】  ＬＥＤ１３０Ａは、拡大鏡１００の裏面（第２の主面１１２）に設けられており、暗い所で拡大鏡１００を使用する際に点灯させる。また、ＬＥＤ１３０Ｂ及びＬＥＤ１３０Ｃは、拡大鏡１００の頭部１１５に設けられている、ＬＥＤ１３０Ｂ及びＬＥＤ１３０Ｃを点灯させることで、拡大鏡１００を懐中電灯のように使用することができる。
【００１７】  なお、ＬＥＤ１３０Ａ〜ＬＥＤ１３０Ｃの点灯スイッチ１３１は、筐体１１０の第１の側面１１３に設けられている。点灯スイッチ１３１を１回押すとＬＥＤ１３０ＡがＯＮし、ＬＥＤ１３０Ｂ，１３０ＣはＯＦＦのままとなり（第１の状態）、２回押すとＬＥＤ１３０ＡがＯＦＦしてＬＥＤ１３０Ｂ及び１３０ＣがＯＮし（第２の状態）、３回押すとＬＥＤ１３０Ａ〜ＬＥＤ１３０ＣがすべてＯＦＦする（第３の状態）。つまり、点灯スイッチ１３１を１回押すたびに、ＬＥＤ１３０Ａ〜ＬＥＤ１３０Ｃが上記第１の状態から第３の状態にサイクリックに変化する。
【００１８】  ペン１４０は、通常時は、筐体１１０内に着脱可能に収容されている。また、ペン１４０は、筐体１１０の一部を成す。ペン１４０を使用する際は、ペン１４０を使用する際は、筐体１１０から取り出し、使用後は、筐体１１０内に収容する。このように、着脱可能なペン１４０を筐体１１０内に収容することにより、拡大鏡１００の利便性が向上する。
【００１９】  以上のように、本考案に係る拡大鏡１００は、筐体１１０が樹脂等の軽い材料で形成されており、厚みが薄く、矩形状であるため、持ちやすく携帯に便利である。また、筐体１１０に第２の開口１１０Ｂを設け、図４に示すように、この第２の開口１１０Ｂにストラップ１６０や紐などを通して衣服に結び付けることにより、拡大鏡１００の置忘れを抑制することができる。
【００２０】  さらに、凸レンズ１２０を透明な樹脂等の材料で形成しているので、軽く、衝撃に強いため拡大鏡１００の携帯性が向上する。また、着脱可能なペン１４０を筐体１１０内に収容しているので、拡大鏡１００の利便性が向上する。
【符号の説明】
【００２１】１００…拡大鏡
１１０…筐体
１１１…第１の主面
１１２…第２の主面
１１３…第１の側面
１１４…第２の側面
１１５…頭部
１１０Ａ…第１の開口
１１０Ｂ…第２の開口
１２０…凸レンズ
１３０Ａ〜１３０Ｃ…ＬＥＤ
１３１…点灯スイッチ
１４０…ペン
１５０…弾性部材（シリコンゴム）
１６０…ストラップ
【図１】
0003189014.tif 000003
【図２】
0003189014.tif 000004
【図３】
0003189014.tif 000005
【図４】
0003189014.tif 000006